(57)【特許請求の範囲】
【請求項１】
一対の接触片が互いに直交するように設けられている接触部と、略Ｉ字状に展開可能な保持部とを有し、少なくとも電源線と送り線が接続されるねじなし端子と；
このねじなし端子を内蔵し、かつ、前記電源線又は送り線が挿入される挿入孔が隣合う面に穿設されてなる略直方体状のケースと；
を備える端子台において、
前記ねじなし端子の保持部は、連結片と、この連結片の一端側に前記連結片の中心線と直角方向に突出形成されるとともに、前記連結片から直角に折曲げられた長方形状の第１の弾性片、およびこの第１の弾性片の両端に折曲げて形成されこの折曲げ部を前記各挿入孔が穿設されている前記ケースの隣合う面の各内面に接近させて設けた矩形状の一対の第１の保持片を有する第１の保持部と、
前記連結片の他端側にこの連結片の中心線と直角方向に突出形成されるとともに、前記連結片から直角に折曲げて設けられた長方形状の第２の弾性片、及びこの第２の弾性片の両端に形成された矩形状の一対の第２の保持片を有して、前記第１の保持部より幅方向に小さく形成されるとともに、前記第１の保持部よりも各挿入孔から見て奥側に配設された第２の保持部とを具備することを特徴とする端子台。
【請求項２】
請求項１記載の端子台と；
この端子台が設けられる器具本体と；
を具備することを特徴とする照明器具。
【発明の詳細な説明】
【０００１】
【発明の属する技術分野】
本発明は、皮むき状態の電源線と送り線を接続するＳＬ端子（ねじなし端子）を内蔵した端子台、およびこの端子台を備えた照明器具に関する。
【０００２】
【従来の技術】
従来の端子台について、照明器具を参照して図１３および図１４に基づいて説明する。
【０００３】
従来の端子台１は、図１４に示すように、合成樹脂製などからなる略直方体状のケース２の下面３に、電源線５が挿入される一対の挿入孔６，６と、図示しない隣の照明器具の電源線として端子台に接続される送り線８が挿入される一対の挿入孔６，６が穿設されているとともに、前記ケース下面３と隣合うケース側面４に、照明器具のランプソケット（図示せず）に接続される負荷源１０が挿入される一対の負荷源挿入孔７，７が穿設されている。
【０００４】
さらに、前記挿入孔６，７に対向して導電材からなる電源線接触部と、図示しないばね性を持った保持部とを有するねじなし端子（以下「ＳＬ端子」という）がそれぞれケース２に内蔵されている。なお、保持部は、一つのばね材を使って、一方向の電線に対してのみ保持を証す構造を持っている。
【０００５】
照明器具を参照して端子台の使用方法を説明する。
【０００６】
照明器具は、図１３に示すように、断面形状がコ字状をなす器具本体１５と、この器具本体内の両端両側には、ランプソソケット（図示せず）が取付けられるランプソケット取付板２０，２０が対向して取付けられ、これらランプソケット取付板２０，２０は、器具本体の幅方向にある一定角度揺動する。
【０００７】
器具本体の背面板１６中央には、電源線を通す電源線通し孔１８が穿設され、この電源線通し孔の左側背面板１６には、ランプ（図示せず）を安定点灯させる安定器２５が図示しないねじで螺着・固定されている。
【０００８】
さらに、前記電源線通し孔の右側背面板１６には、端子台１の下面３を下側にして当該端子台１が、ねじ２６で背面板に螺着・固定されている。
【０００９】
最初に、天井裏に配設された電源線を天井（図示せず）から室内に引き出しておく。それから、天井から引き出した電源線５を器具本体の背面板に穿設した電源線通し孔１８に挿入し当該器具本体内に引き出す。つぎに、当該器具本体を天井に図示しないねじで螺着・固定する。
【００１０】
それから、電源線５をＵ字状に折曲げ、皮むき状態の電源線を上方に向け、下を向いている端子台１の下面３に穿設した一対の挿入孔６，６に挿入し、ケース２に内蔵されているＳＬ端子（図示せず）にそれぞれ接続する。
【００１１】
隣の照明器具（図示せず）に接続される送り線８も、皮むき状態の送り線を上方に向け、下を向いている端子台の下面３に穿設した一対の挿入孔６，６に挿入し、ケース２に内蔵されているＳＬ端子（図示せず）にそれぞれ接続する。
【００１２】
【発明が解決しようとする課題】
上記のように従来の端子台１では、照明器具内において、電源線５が挿入される挿入孔６と送り線８が挿入される挿入孔６とは、それぞれ下を向いていることから、器具内で電源線や送り線を変形し端子台の挿入孔に挿入しなければならず、施工性が悪いという問題があった。
【００１３】
本発明は上記の点に鑑みてなされたもので、電源線と送り線とを手順良く接続できる端子台および照明器具を提供することを課題とする。
【００１４】
【課題を解決するための手段】
前記課題を達成するために、請求項１記載の本発明に係る端子台は、一対の接触片が互いに直交するように設けられている接触部と、略Ｉ字状に展開可能な保持部とを有し、少なくとも電源線と送り線が接続されるねじなし端子と；このねじなし端子を内蔵し、かつ、前記電源線又は送り線が挿入される挿入孔が隣合う面に穿設されてなる略直方体状のケースと；を備える端子台において、前記ねじなし端子の保持部は、連結片と、この連結片の一端側に前記連結片の中心線と直角方向に突出形成されるとともに、前記連結片から直角に折曲げられた長方形状の第１の弾性片、およびこの第１の弾性片の両端に折曲げて形成されこの折曲げ部を前記各挿入孔が穿設されている前記ケースの隣合う面の各内面に接近させて設けた矩形状の一対の第１の保持片を有する第１の保持部と、前記連結片の他端側にこの連結片の中心線と直角方向に突出形成されるとともに、前記連結片から直角に折曲げて設けられた長方形状の第２の弾性片、及びこの第２の弾性片の両端に形成された矩形状の一対の第２の保持片を有して、前記第１の保持部より幅方向に小さく形成されるとともに、前記第１の保持部よりも各挿入孔から見て奥側に配設された第２の保持部とを具備することを特徴とするものである。
【００１５】
請求項２記載の本発明に係る照明器具は、請求項１記載の端子台と；この端子台が設けられる器具本体と；を具備することを特徴とするものである。
【００１６】
本発明に係る電源線と送り線とを接続する端子台およびこれを備える照明器具は、電源線又は送り線が挿入される挿入孔が当該端子台の下面および側面の２方向に形成されていることから、端子台の取付位置などに合わせて施工することができる。
【００１７】
【発明の実施の形態】
以下、図１〜図９を参照して本発明の実施の形態などに係る端子台を説明する。なお、従来技術と同一構成部品は同一番号を付して説明する。
【００１８】
本発明に係る端子台について、照明器具を参照して図１に基づいて説明する。
【００１９】
照明器具は、器具本体１５と当該器具本体の下方に取付けられる反射体３０とから構成され、断面形状がコ字状をなす器具本体１５内の両端両側には、ランプソケット２１，２１が対向して並列に取付けられるランプソケット取付板２０，２０が対向してそれぞれ取付けられ、これらランプソケット取付板２０，２０は器具本体の幅方向にある一定角度揺動する。
【００２０】
器具本体１５の下方に取付けられる反射体３０は、逆山形状をなして形成された一対の逆三角形の端板３１，３１と、両側に下り傾斜し両端にランプソケット２１を挿入するランプソケット挿入孔３３，３３を形成した側板３２とから構成され、さらに、ランプソケット挿入孔３３の近傍には、ねじ２７が挿入されるねじ取付孔３４がそれぞれ穿設されている。
【００２１】
反射体３０は、器具本体１５の下方に当該器具本体の両端両側に取付けられたランプソケット２１，２１を当該反射体の両端両側に穿設されたランプソケット挿入孔３３，３３から下方に突出して取付けられ、ねじ２７を反射体に設けたねじ取付孔３４に挿入し、当該ねじ２７を器具本体に取付けられたランプソケット取付板２０に螺着・固定する。
【００２２】
最後に、反射体３０から突出し対向して並列に取付けられたランプソケット２１，２１間に直管形蛍光ランプ（以下「ランプ」という）２２を着脱自在に取付ける。なお、器具本体の背面板１６下面には、電源通し孔１８を挟んで左側に安定器２５が、右側には本発明に係る端子台が図示しないねじで当該背面板１６に螺着・固定されている。
【００２３】
つぎに、図２に本発明に係る端子台の外観を示す。
【００２４】
端子台４０は、図２では図示しない電源線または送り線を保持部で接触部に保持するねじなし端子（以下「ＳＬ端子」という）と、このＳＬ端子を内蔵した合成樹脂などからなる略直方体状のケース４１で構成されている。ケース４１は、本発明に係るＳＬ端子を手前左側と奥左側に隔壁（図示せず）を介して内蔵するケース本体４２と、このケース本体４２の左右開口部をそれぞれ塞ぐカバー４３，４３と、このカバー４３をケース本体４２に固定するねじ２８，２８とから構成している。
【００２５】
さらに、ケース本体の下面４４には、電源線又は送り線が挿入される一対の挿入孔６，６が、ケース本体の下面４４に隣合う手前側側面４５には、電源線又は送り線が挿入される一対の挿入孔６，６が穿設している。
【００２６】
電源線と送り線とが接続できる第１の参考例に係るＳＬ端子について図３を参照して説明する。
【００２７】
第１の参考例に係るＳＬ端子５０は、保持部５５と接触部５２とから構成され、図３（Ｃ）に示すように、略Ｌ字状に展開された導電材、例えば燐青銅板を折り曲げて、図３（Ｂ）に示す形状に形成したものである。
【００２８】
略Ｌ字状に展開されたＳＬ端子は、矩形状の取付片５１と、この取付片５１の右隣に形成された矩形状の接触片５３と、前記取付板の下方に形成された矩形状の接触片５３とを備えている。前記取付片５１には、その対向するコーナ部を結ぶ対角線ａｂ上に沿った中央に略Ｈ字形に切断され、対角線ａｂの両側に矩形状の保持片５６，５６がそれぞれ形成されている。
つぎに、第１の参考例に係るＳＬ端子の組み立て手順を説明する。
【００２９】
図３（Ｂ）に示すように、取付片５１の右隣および下方にそれぞれ設けられた接触片５３，５３を上方に向けて折り曲げる。折り曲げられた接触板５３，５３はお互いに直交している。
【００３０】
さらに、取付片５１の中央に設けた一対の保持片５６，５６を上方に向け、かつ、対向して折り曲げる。また、保持片５６は、図３（Ａ）に示すように、接触片５３に対して先端に向けて下り傾斜するように対向して折り曲げられている。また、接触片５３と保持片５６の先端との間隔Ｌは、皮むき状態の電源線の太さ又は皮むき状態の送り線の太さより少し幅狭に形成している。
【００３１】
本発明に係る電源線と送り線とが接続できる第１の実施の形態に係るＳＬ端子について図５を参照して説明する。
【００３２】
第１の実施の形態に係るＳＬ端子８０は、接触片を有する接触部８１と、２対の保持片を有する保持部８５とから構成され、図５（Ｃ）に示すように、略Ｌ字状に展開された一枚の導電材、例えば燐青銅板と、図５（Ｂ）に示すように、略Ｉ字状に展開された一枚の導電材、例えば燐青銅板とを図５（Ａ）に示すように折曲げて一体にしたものである。
【００３３】
略Ｌ字状に展開された接触部８１は、図５（Ｃ）に示すように、矩形状の取付片８２と、この取付片の右隣および下方に形成された矩形状の接触片８３，８３とを備えるとともに、前記矩形状取付片８２の対向するコーナ部を結ぶ対角線ａｂ上に沿った中央に取付孔８４が形成している。
【００３４】
略Ｉ字状に展開された２対の保持片を有する保持部８５は、図５（Ｂ）に示すように、中心線ａｂに沿った真ん中に設けた長方形状で中心に取付孔８４が穿設された連結片８６と、この連結片８６の下方に中心線ａｂと直角方向に突出形成され、中央に形成された長方形状の第２の弾性片８８と、この弾性片８８の両端に形成された矩形状の第２の保持片８９，８９とからなる第２の保持部８７と、前記連結片８６の上方に中心線ａｂと直角方向に突出形成し、中央に形成された長方形状の第１の弾性片９１と、この弾性片９１の両端に形成された矩形状の第１の保持片９２，９２とからなる第１の保持部９０とから構成している。
【００３５】
つぎに、第１の実施の形態に係るＳＬ端子の組み立て手順を説明する。
【００３６】
最初に、略Ｌ字形に展開された接触部８１を、図５（Ａ）に示すように、取付片８２の右隣および下方に設けた接触片８３，８３を上方に向けてそれぞれ折り曲げる。なお、折り曲げられた接触片８３，８３はお互いに直交している。
【００３７】
それから、略Ｉ字形に展開された保持部８５を、図５（Ａ）に示すように、連続片８６の上部左右に突出形成され両側に形成された第１の保持片９２，９２を上方に向けて略コの字形に折曲げたのち、弾性片９１を手前に直角に折曲げ第１の保持部９０を形成する。
【００３８】
同様にして、連続片８６の下部左右に突出形成され両側に形成された第２の保持片８９，８９を上方に向けて略逆コの字形に折曲げたのち、連結片８６を奥に向けて直角に折曲げ第２の保持部８７を形成し、保持部８５を組立てる。
【００３９】
最後に、保持部８５の取付孔８４を接触部８１の取付孔８４に重ね合わるとともに、保持部８５の対角線ａｂを接触部８１の中心線ａｂに合わせる。それから、取付孔８４にリベット９５を挿入し、当該リベット９５をカシメることにより、保持部８５を接触部８１に固定することにより、ＳＬ端子８０を組立てる。
【００４０】
なお、第１の保持片９２と第２の保持片８９とは、図４に示すように、接触片８３に対して先端に向けて下り傾斜するよう対向して折り曲げられている。また、接触片８３と第１の保持片９２および接触片８３と第２の保持片８９の先端との間隔Ｌは、皮むき状態の電源線の太さ又は皮むき状態の送り線の太さより少し幅狭に形成している。
【００４１】
電源線と送り線とが接続できる第２の参考例に係るＳＬ端子について図６および図７を参照して説明する。
【００４２】
第２の参考例に係るＳＬ端子６０は、接触部６１と保持部６５とから構成され、一枚の導電材、例えば燐青銅板からなる保持部と接触部とから構成している。
【００４３】
接触部６１は、図７（Ｂ）に示すように、正三角形をなす取付片６２と、この取付片の右辺に隣接形成される矩形状の接触片６３と、前記取付片の下辺に隣接形成される矩形状の接触片６３とから構成している。
【００４４】
保持部６５は、取付片の傾斜辺６２ａの中心と右辺と下辺との交点とを結んだ対角線ａｂ上に沿って形成された矩形状の連結片７０と、この連結片の上部に対角線ａｂと直角方向に突出形成し、中央に形成された長方形状の弾性片６７とこの弾性片６７の両端に形成された矩形状の保持片６６，６６とから構成している。
【００４５】
つぎに、第２の参考例に係るＳＬ端子の組み立て手順を説明する。
【００４６】
図７（Ａ）に示すように、接触部６１は、正三角形状の取付片６２の右隣および下方に設けた矩形状の接触片６３，６３を上方に向けて折り曲げ形成する。折り曲げられた接触片６３，６３はお互いに直交している。
【００４７】
保持部６５は、弾性片６７の両側に設けられた保持片６６，６６をそれぞれ上方に向けて略コの字形に折り曲げるとともに、当該弾性片６７を連結片７０に対して手前側に直角に折曲げる。
【００４８】
なお、保持片６６，６６は、図６に示すように、接触片６３，６３に対して先端が下り傾斜するように折り曲げられている。さらに、接触片６３と保持片の先端との間隔Ｌは、皮むき状態の電源線の太さおよび皮むき状態の送り線の太さより少し幅狭に形成している。
【００４９】
端子台４０は、器具本体１５の背面板１６下面に電源挿入孔１８が穿設された下面４４を下側にして図示しないねじで器具本体１５の背面板１６に固定されている。さらに、天井裏に配置されている電源線５は、器具本体背面板１６に穿設された電源線挿入孔１８から器具本体１５内に引き込まれている。
【００５０】
なお、第１の実施の形態および第１、第２の参考例に係るＳＬ端子の変形として、図１０〜図１２に示すように、電源線又は送り線を挿入する方向に沿って接触片に案内溝９９を設けることにより、電源線や送り線の挿入が容易になるとともに、電源線や送り線の接触部へのバラツキを無くす効果を奏する。
【００５１】
次に上記実施の形態に係る端子台への電源線および送り線の施工方法を説明する。
【００５２】
端子台への電源線と送り線の施工方法は、図８および図９に示すように２通りの方法がある。
【００５３】
第１の施工方法としては、図８に示すように、電源線５は略Ｕ字形に折曲げ、当該皮むき状態の電源線を端子台４０の下面４４に穿設した一対の挿入孔６，６に下方から挿入する。さらに、送り線８は、当該皮むき状態の送り線を端子台の側面４５に穿設された一対の挿入孔（図示せず）に横方向から挿入する。
【００５４】
第２の施工方法としては、図９に示すように、電源線５は、当該皮むき状態の電源線を端子台の側面４５に穿設された一対の挿入孔（図示せず）に横方向から挿入する。さらに、送り線８は、当該皮むき状態の送り線を端子台の下面４４に穿設された一対の挿入孔６，６に下方から挿入する方法とがある。なお、負荷線１０は、端子台の側面４５と逆の側面４６に穿設されている一対の負荷線挿入孔７，７に挿入される。
【００５５】
上記のように、電源線と送り線の端子台への接続方法は、下方からの接続と横方向からの接続があることから、従来技術のように下方からの接続に限定されることなく自由度が増すことから、施工性が向上する。
【００５６】
つぎに、端子台への電源線と送り線の挿入作用を説明する。
【００５７】
最初に、第１の参考例に係るＳＬ端子５０を内蔵した端子台に付いて説明する。
【００５８】
第１の参考例に係る端子台のＳＬ端子５０は、Ｌ字状導電板材の２端をＬ字形に起こして直交する２つの接触片５３，５３からなる接触部５２と、導電板材の中央に斜め方向に対向して切り起して一対の保持片５６，５６を有する保持部５５とを備え、斜め方向に切り起した、この切り起こしのばね性を利用し接触部に電源線又は送り線を保持するものである。
【００５９】
図３（Ａ）に示すように、例えば、皮むき状態の電源線５を端子台の側面４５に穿設した挿入孔６に挿入すると、電源線の先端が奥側に下り傾斜する保持片５６に突き当たり、当該電源線の先端は、当該保持片に案内され斜め下方前方に移動する。
【００６０】
さらに、電源線を挿入すると、当該電源線の先端が接触片５３に接触し、当該電源線の先端は、ばね性を有する保持片を奥側に押し倒しつつ電源線は挿入され、電源線は接触片に接触した状態を保持片の下端縁で保持・維持する。
【００６１】
皮むき状態の送り線８は、端子台の下面４４に穿設した挿入孔６に挿入され、上記と同様に、送り線は、接触片に接触した状態を保持片の下端縁で保持・維持する。
【００６２】
つぎに、第１の実施の形態に係るＳＬ端子８０を内蔵した端子台に付いて説明する。
【００６３】
第１の実施の形態に係る端子台のＳＬ端子８０は、Ｌ字状導電板材の２端をＬ字形に起こして直交する接触片を有する接触部８１と、この接触部８１にばね性を有する略コの字形に形成され両端に保持片を有する保持部８５を一体に固定する。略コの字形に形成したばね性を利用し接触部に電源線又は送り線を２対の保持部を有する接触部で保持・固定する。
【００６４】
図４に示すように、例えば、皮むき状態の電源線５を端子台の側面４５に穿設した挿入孔６に挿入すると、電源線の先端が奥側に下り傾斜する第１の保持片９２に突き当たるとともに、当該電源線の先端は、当該第１の保持片に案内され斜め下方前方に移動する。
【００６５】
電源線が接触片に接触すると、当該電源線の先端は、ばね性を有する第１の保持片を奥側に押し倒しつつ、電源線は奥に移動する。さらに、電源線は、接触片に接触する。
【００６６】
さらに、電源線を挿入すると、電源線の先端が奥側に下り傾斜する第２の保持片に突き当たるとともに、当該電源線の先端は、当該第２の保持片に案内され斜め下方前方に移動する。
【００６７】
電源線が接触片に接触すると、当該電源線の先端は、ばね性を有する第２の保持片を奥側に押し倒しつつ、電源線は奥に移動し、電源線は接触片に接触するとともに第１の保持片の下端縁と第２の保持片の下端縁とで保持・固定される。なお、第１の保持部は、第２の保持部に比べて幅方向に大きいので、湾曲しやすい形状になっている。
【００６８】
皮むき状態の送り線８は、端子台の下面４４に穿設した挿入孔６に挿入され、上記と同様に、送り線は、接触片に接触し、第１の保持片と第２の保持片とで保持・固定される。
【００６９】
第１の実施の形態に係るＳＬ端子は、２対の保持部で接触片に電源線又は送り線が保持・固定されていることから、第１の参考例である１つの保持部で接触片に電源線又は送り線が保持・固定されるのに比べて、より確実に保持・固定される。
【００７０】
また、第１の参考例に係る保持片が、Ｌ字形に折曲げられたものに比べて第２の実施の形態に係る保持片は、略コの字形に形成されていることから、第１の実施の形態に係るＳＬ端子の方が軽い力で挿入ができる。
【００７１】
最後に、第２の参考例に係るＳＬ端子６０を内蔵した端子台に付いて説明する。
【００７２】
第２の参考例に係る端子台のＳＬ端子６０は、導電板材を横と縦２方向をＬ字に起こし、この内側を接触部６１とし、電源線や送り線を保持するために、導電板材をＬ字形に起こした対角側にある導電板材を略コの字形に起こし両端を保持片６６，６６とする保持部６５とから構成し、略コの字形に起こした保持部のばね性を利用し接触部に電源線又は送り線を保持部で保持・固定している。
【００７３】
図６に示すように、例えば、皮むき状態の電源線５を端子台の側面４５に穿設した挿入孔６に挿入すると、電源線の先端が、奥側に下り傾斜する保持片６６に突き当たるとともに、当該電源線の先端は、当該保持片に案内され斜め下方前方に移動する。
【００７４】
つぎに、電源線が接触片に接触すると、当該電源線の先端は、ばね性を有する略コの字形に形成された保持部６５の保持片６６を奥側に押し倒しつつ電源線は挿入され、電源線は接触片６３に接触し、保持片の下端縁で保持・固定される。
【００７５】
なお、第２の参考例に係る保持片６６は、略コの字形に形成された保持部６５の両側に形成していることから、第１の参考例に係る保持片に比べて曲がりやすいので、軽い力で挿入できるとともに、確実に接触片に保持・固定される。
【００７６】
皮むき状態の送り線８は、端子台の下面４４に穿設した電源挿入孔６に挿入され、上記と同様に、送り線は、接触片に接触し、保持片の下端縁で保持・固定される。
【００７７】
【発明の効果】
以上詳記したように本発明の端子台及びこれを備える照明器具は、端子台に対して２方向から電線を挿入孔に挿入して接続可能となる。これにより、端子台への電源線や送り線の施工方法が増えるとともに、配線の見栄が良くなる。
【００７８】
さらに、端子台に電源線や送り線を配線する際、電源線や送り線を曲げたり、捻ったりすることなどが少なくなり、簡易に取り付けが可能となり、施工性が向上する。また、第１、第２の保持部で電線を接触部に保持・固定する構成であるから、より確実に保持・固定が可能となる。
【図面の簡単な説明】
【図１】  本発明に係る端子台を取付けた照明器具の全体構成を示す分解斜視図。
【図２】  本発明に係る端子台の構成を示す斜視図。
【図３】  第１の参考例に係る端子台を示すもので、
（Ａ）は正面から見た断面図。
（Ｂ）はＳＬ端子を示す斜視図。
（Ｃ）はＳＬ端子を示す展開図。
【図４】  本発明に係る第１の実施の形態に係る端子台を示す正面断面図。
【図５】  本発明に係る第１の実施の形態に係るＳＬ端子を示すもので、
（Ａ）はＳＬ端子を示す斜視図。
（Ｂ）はＳＬ端子の保持部を示す展開図。
（Ｃ）はＳＬ端子の接触部を示す展開図。
【図６】  第２の参考例に係る端子台を示す正面断面図。
【図７】  第２の参考例に係るＳＬ端子を示すもので、
（Ａ）はＳＬ端子を示す斜視図。
（Ｂ）はＳＬ端子を示す展開図。
【図８】  本発明に係る端子台への第１の施工方法を示す斜視図。
【図９】  本発明に係る端子台への第２の施工方法を示す斜視図。
【図１０】  第１の参考例に係る端子台の変形を示すもので、
（Ａ）は正面から見た断面図。
（Ｂ）はＳＬ端子を示す斜視図。
【図１１】  本発明に係る第１の実施の形態に係る端子台の変形を示すもので、
（Ａ）は正面から見た断面図。
（Ｂ）はＳＬ端子を示す斜視図。
【図１２】  第２の参考例に係る端子台の変形を示すもので、
（Ａ）は正面から見た断面図。
（Ｂ）はＳＬ端子を示す斜視図。
【図１３】  従来技術に係る端子台を取付けた照明器具の施工方法を示す分解斜視図。
【図１４】  従来技術に係る端子台を取付けた照明器具の構成を示す分解斜視図。
【符号の説明】
５…電源線，
６…挿入孔，
８…送り線，
４１…略直方体状のケース，
４４…下面（ケースの隣合う面の一方），
４５…側面（ケースの隣合う面の他方），
８０…ＳＬ端子（ねじなし端子），
８１…接触部，
８２…取付片，
８３…接触片，
８４…取付孔，
８５…保持部，
８６…連結片，
ａｂ…連結片の中心線，
８７…第２の保持部，
８８…第２の弾性片，
８９…第２の保持片，
９０…第１の保持部，
９１…第１の弾性片，
９２…第１の保持片，
９５…リベット。
【図１】
0003677986.tif 000002
【図２】
0003677986.tif 000003
【図３】
0003677986.tif 000004
【図４】
0003677986.tif 000005
【図５】
0003677986.tif 000006
【図６】
0003677986.tif 000007
【図７】
0003677986.tif 000008
【図８】
0003677986.tif 000009
【図９】
0003677986.tif 000010
【図１０】
0003677986.tif 000011
【図１１】
0003677986.tif 000012
【図１２】
0003677986.tif 000013
【図１３】
0003677986.tif 000014
【図１４】
0003677986.tif 000015